(57)【要約】【課題】雌ねじが形成された部材に繰り返し容易に着脱できるクリップを高価にせずに提供する。【解決手段】クリップ１は、雌ねじの穴径より大径の頭部２と、雌ねじ穴に挿入される棒状の軸部３とから成り、軸部３には、頭部に隣接する部分から先端付近までの軸部部分に１側面において開口する空洞６が形成され、その軸部部分が横断面においてＵ字形状に形成され、その軸部部分には、直径方向に対立する外側面９Ａ，９Ｂのそれぞれに、係止爪７Ａ、７Ｂが、軸方向に間隔をおいて複数個形成されて、対を成しており、各対の係止爪のピッチが、雌ねじのピッチより大きく形成されている。【選択図】図１
2009156303.tif 000002
【特許請求の範囲】
【請求項１】
雌ねじが形成された部材に繰り返し容易に着脱できるクリップであって、
前記雌ねじの穴径より大径の頭部と、該頭部から棒状に延びて前記雌ねじが形成された雌ねじ穴に挿入される軸部とから成り、前記軸部には、前記頭部に隣接する部分から先端付近までの軸部部分に、軸心方向に延び且つ１側面において開口する空洞が形成され、該軸部部分が横断面においてＵ字形状に形成されており、該軸部部分には、前記直径方向に対立する外側面のそれぞれに、前記雌ねじに係合する係止爪が、軸方向に間隔をおいて複数個形成されて、対を成しており、各対の係止爪のピッチが、前記雌ねじのピッチより大きく形成されている、
ことを特徴とするクリップ。
【請求項２】
請求項１に記載のクリップにおいて、前記係止爪対の、一方の対の係止爪の各々が、他方の対の係止爪の各々と軸方向に同じ高さ位置に形成されて左右対称になっている、ことを特徴とするクリップ。
【請求項３】
請求項２に記載のクリップにおいて、前記係止爪対のそれぞれは、前記軸部側面に軸方向に沿って３個設けられ、該係止爪は、前記雌ねじに対して一方の対の２個の係止爪が前記雌ねじの谷に係合し且つ他方の対の１個の係止爪が前記雌ねじの谷に係合する間隔で設けられている、ことを特徴とするクリップ。
【請求項４】
請求項１〜３のいずれか１項に記載のクリップにおいて、前記頭部の上面には、スクリュードライバ等の工具によって軸回りに回転させるための工具係止溝が形成されている、ことを特徴とするクリップ。
【請求項５】
請求項１〜４のいずれか１項に記載のクリップにおいて、前記雌ねじはＭ５（５ｍｍ直径）サイズの雌ねじである、ことを特徴とするクリップ。
【請求項６】
請求項１〜５のいずれか１項に記載のクリップにおいて、前記係止爪は、軸部を雌ねじ穴に挿入するのが容易なように軸部の側面に対して鋭角を成して頭部方向に延びており、軸部を雌ねじ穴から抜き出すときの抵抗を大きくする形状である、ことを特徴とするクリップ。
【発明の詳細な説明】
【技術分野】
【０００１】
本発明は、雌ねじが形成された部材（ナット又はその他の雌ねじが形成された部材）に繰り返し容易に着脱できるクリップに関する。
【背景技術】
【０００２】
雌ねじが形成された部材に繰り返し容易に着脱できるクリップが特許文献１（特開２００６−０６４０２２号公報）に記載されている。このクリップは、頭部と該頭部から垂下する板状の軸部とから成り、板状の軸部にはその両面に軸方向に雌ねじと同じピッチの間隔でリブが複数形成されており、一方の面のリブは、他方のリブに対して雌ねじの半ピッチだけずらした位置に形成されている。これによって、このクリップは、雌ねじ穴に挿入するだけで、全リブが雌ねじ部材（ナット）の雌ねじに係合して強い係合力を得ることができ、取外しにおいても、軸部を軸回りに回転させれば容易に取外しでき、取外したクリップは、再度、雌ねじ穴に軸部を挿入することで取付けでき、これによって、雌ねじが形成された部材に繰り返し容易に着脱できる。
【０００３】
【特許文献１】特開２００６−０６４０２２号公報
【特許文献２】意匠登録第８２９３１３号公報
【特許文献３】実開平４−１３４９１２号公報
【特許文献４】実開昭６１−０５２７０７号公報
【発明の開示】
【発明が解決しようとする課題】
【０００４】
特許文献１のクリップは、繰り返し容易に着脱できるクリップではあるが、リブのピッチが１の雌ねじピッチに特定されていて、別の雌ねじのピッチに対して、それに対応したピッチ間隔のリブが形成されたクリップを用意せねばならない。また、例えば、Ｍ５（５ｍｍ直径）サイズの雌ねじ穴のように細かいピッチの雌ねじ穴に対して、前記リブの間隔を合わせるのは、成形において細かくなり、高い精度を必要とするので、製造コストがかかり、クリップが高価になってしまう。特許文献２のクリップも、その「使用状態を示す参考断面図」に記載されるように、特許文献１のクリップとほぼ同じ構成のリブを備えており、特許文献１のクリップと同じ課題を抱えている。
【０００５】
特許文献３のクリップは、カーペット部材をパネル等の部材に取付けるのに、両部材の取付穴に軸部を挿入するだけで行うことができるボタン型クリップである。このクリップは、雌ねじに係合するものではなく、取付穴の縁部に係合するクリップであるので、雌ねじへの係合についての構成が十分ではない。特許文献４は、クリップが一方の部材に固定され、他方の部材にはキャップが固定され、クリップがキャップに挿入されることによって一方の部材が他方の部材に取付けられる連結構造を記載している。特許文献４のクリップには、係合段部に弾性を与えるため脚柱部との間に隙間が形成されているが、係合段部は雌ねじへ係合するものではないので参考にはならない。
【０００６】
従って、本発明の目的は、雌ねじが形成された部材に繰り返し容易に着脱できるクリップを高価にせずに提供できることにある。
【課題を解決するための手段】
【０００７】
上記目的を達成するため、本発明によれば、雌ねじが形成された部材に繰り返し容易に着脱できるクリップであって、雌ねじの穴径より大径の頭部と、頭部から棒状に延びて雌ねじが形成された雌ねじ穴に挿入される軸部とから成り、軸部には、頭部に隣接する部分から先端付近までの軸部部分に、軸心方向に延び且つ１側面において開口する空洞が形成され、軸部部分が横断面においてＵ字形状に形成されており、軸部部分には、直径方向に対立する外側面のそれぞれに、雌ねじに係合する係止爪が、軸方向に間隔をおいて複数個形成されて、対を成しており、各対の係止爪のピッチが、雌ねじのピッチより大きく形成されている、ことを特徴とするクリップが提供される。
【０００８】
上記のように、軸部は、頭部に隣接する部分から先端付近までの部分が軸心で空洞になった横断面においてＵ字形状に形成されて、軸部には空洞の直径方向に対立する側面のそれぞれに、雌ねじに係合する係止爪が、軸方向に間隔をおいて複数個形成され、係止爪のピッチが、雌ねじのピッチより大きく形成されているので、雌ねじが形成された取付部材への取付けにおいて軸部を雌ねじ穴に挿入するだけでよく、軸部の全ての係止爪が雌ねじの谷に係合しないが、いくつかの係止爪が雌ねじの谷に係合するので、クリップは一定の係止力で雌ねじが形成された取付部材へ取付けられ、また、軸部は横断面でＵ字形状に形成されていて高く維持され、例えば、軸部を軸回りに増し締めした場合でも、軸部又は係止爪が破損するおそれを小さくでき、更に、係止爪のピッチが雌ねじのピッチより大きく形成されているので、成形において高い精度を必要としなくなり、製造コストを低くすることができ、そして、取外し操作も、頭部を軸心回りに回転させるだけで容易にできる。更に、取外し後の再使用も容易である。また、雌ねじが形成された部材への取付作業は一方向から行える。
【０００９】
上記クリップにおいて、係止爪対の一方の対の係止爪の各々が他方の対の係止爪の各々と軸方向に同じ高さ位置に形成されて左右対称になっている。係止爪対のそれぞれは、軸部側面に軸方向に沿って３個設けられ、係止爪は、雌ねじに対して一方の対の２個の係止爪が雌ねじの谷に係合し且つ他方の対の１個の係止爪が雌ねじの谷に係合する間隔で設けられている。頭部の上面には、スクリュードライバ等の工具によって軸回りに回転させるための工具係止溝が形成されている。雌ねじは、例えば、Ｍ５（５ｍｍ直径）サイズの雌ねじである。係止爪は、軸部を雌ねじ穴に挿入するのが容易なように軸部の側面に対して鋭角を成して頭部方向に延びており、軸部を雌ねじ穴から抜き出すときの抵抗を大きくする形状である。
【発明を実施するための最良の形態】
【００１０】
以下、図面を参照して本発明の１実施形態に係るクリップ１について説明する。図１〜図５にクリップ１の構成が示されている。図６には、クリップ１と雌ねじが形成された取付部材２の雌ねじ３との関係が示されている。クリップ１は、硬質プラスチック材料で一体成形されて、雌ねじが形成された部材に繰り返し容易に着脱できる。
【００１１】
図１〜図５において、クリップ１は、雌ねじの穴径より大径の頭部２と、頭部２から棒状に延びて雌ねじ穴に挿入される軸部３とから成る。軸部３には、頭部２に隣接する部分から先端５の付近までの部分に、軸心方向に延び且つ１側面において開口する空洞６が形成されている。空洞６が形成された軸部３の部分は、横断面においてＵ字形状に形成されている。軸部３には、空洞６の直径方向に対立する外側面（すなわち、Ｕ字形状断面において対立する側部部分の外側面）のそれぞれに、雌ねじに係合する係止爪７Ａ、７Ｂが、軸方向に間隔をおいて複数個形成され、１対の係止爪（群）を形成している。詳細には、一方の対の係止爪７Ａは一方の軸部側面９Ａに形成され、他方の対の係止爪７Ｂは他方の軸部側面９Ｂに形成されている。一方の対の係止爪７Ａ及び他方の対の係止爪７Ｂは、それぞれ、軸部３の軸方向に間隔（ピッチ）をおいて複数個形成されている。図示の実施形態において、係止爪７Ａ、７Ｂは、それぞれ、３個形成されている。係止爪７Ａ及び係止爪７Ｂのそれぞれの間隔すなわちピッチは、取付けられる部材の雌ねじのピッチより大きく形成されている。係止爪７Ａ、７Ｂの各々は、図３に図示のように、軸部３の外側面に対して鋭角で頭部２の方向に延びており、軸部３を雌ねじ穴に挿入するときの抵抗を小さくし、軸部３を雌ねじ穴から抜き出すときの抵抗を大きしている。また、各係止爪の幅は、図５に示すように、軸部３の外周のほぼ１／４程度に形成される。
【００１２】
空洞６によって軸部３が横断面においてＵ字形状に形成されているので、軸部３は、係止爪７Ａ及び７Ｂに、内側へ撓む可撓性を与えるとともに元の位置へ復帰する弾性を与える。そして、軸部３には、一定の強度を与えられ、例えば、増し締めした場合に雌ねじの山が軸部外面をねじ切り作用した場合にもそのねじ切りに対抗することができ、軸部３の破損が防止でき、更に、係止爪７Ａ及び７Ｂへのねじ切り作用にも対抗できる。また、軸部３の成形において、射出成形品量産時の安定した製品突き出し位置を確保でき、安価に製造できる利点もある。勿論、軸部３の空洞６の部分の容積が大きいので軽量化及び材料の節約が図られる。
【００１３】
クリップ１において、対を成す係止爪対（７Ａ及び７Ｂ）の一方の対の係止爪７Ａの各々が他方の対の係止爪７Ｂの各々と軸方向に同じ高さ位置に形成されて左右対称になっている。すなわち、図３に示すように、直径方向に対立する軸部３の外側面９Ａ及び９Ｂに形成された複数の係止爪７Ａ及び７Ｂは、対立する係止爪の各々が、軸部の同じ高さ位置に形成されて左右対称になっている。図示の実施形態において、係止爪７Ａ、７Ｂは軸方向にそれぞれ３個設けられ、係止爪７Ａ、７Ｂは、雌ねじに対して、一方の軸部３の外側面（例えば外側面９Ａ）の２個の係止爪７Ａが雌ねじの谷に係合し且つ他方の軸部３の外側面（例えば外側面９Ｂ）の１個の係止爪７Ｂが雌ねじの谷に係合する間隔（ピッチ）で設けられている。このピッチは例示である。対象とする取付部材の雌ねじの大きさは、例えば、Ｍ５（５ｍｍ直径）の雌ねじ穴を有する。
【００１４】
頭部２の上面には、スクリュードライバ等の工具によって軸回りに回転させるための工具係止溝が形成されている。頭部２と軸部３との連結部分には、軸部３の軸心と雌ねじ穴の軸心とを整列させるのを促進する下方への突起１１が形成されている。これによって、空洞６に伴なう軸部３の偏り取付けを防止できる。軸部３の先端５は、雌ねじ穴への挿入が容易なように先細に形成されている。
【００１５】
かかる構成のクリップ１が、雌ねじが形成された部材１３（ナット等）に装着された様子が、図６に示されている。部材１の雌ねじ穴１４には雌ねじ１５が形成されている。クリップ１を部材１３に取付けるには、雌ねじ穴１４に軸部３の先端５を位置決めしてそのまま軸部３を押込むだけでよい。頭部２が部材１３に接面すると押込みが止められ、クリップ１が部材１３に装着される。押込みのとき、係止爪７Ａ、７Ｂは、空洞６によって半径方向内側に撓みながら雌ねじ１５の山及び谷に係合して移動する。押込みの停止後、例えば、図６において、実線の３本の矢印で示すように、２つの係止爪７Ａの先端と１つの係止爪７Ｂの先端が、雌ねじ１５の谷に係合し、破線の３本の矢印で示すように、他の１つの係止爪７Ａと他の２つの係止爪７Ｂは、軸部側面９Ａ、９Ｂの撓みによって、雌ねじ１５の山へ反発するように当接している。これによって、係止爪７Ａ、７Ｂへの損傷は、全体的に軽度に分散される。クリップ１は、２つの係止爪７Ａと１つの係止爪７Ｂが、雌ねじ１５の谷に係合しているので、クリップ１は部材１３に軟締結している。スクリュードライバ等の工具を頭部２の工具係止溝１０にあてがって増し締めを行っても、クリップ１は部材１３に軟締結しているので、ねじ切りされることはない。取外しにおいては、工具を頭部２の工具係止溝１０にあてがって、取外し方向に回転させれば、容易にクリップ１を部材１３から取外しできる。
【００１６】
上記のように、雌ねじが形成された取付部材への取付けにおいて軸部を雌ねじ穴に挿入するだけでよく、軸部の全ての係止爪が雌ねじの谷に係合しないが、いくつかの係止爪が雌ねじの谷に係合するので、クリップは一定の係止力で雌ねじが形成された取付部材へ取付けられ、また、軸部は横断面でＵ字形状に形成されていて高く維持され、例えば、軸部を軸回りに増し締めした場合でも、軸部又は係止爪が破損するおそれを小さくでき、係止爪のピッチが雌ねじのピッチより大きく形成されているので、成形において高い精度を必要としなくなり、製造コストを低くすることができ、そして、取外し操作も、頭部を軸心回りに回転させるだけで容易にできる。更に、取外し後の再使用も容易である。また、雌ねじが形成された部材への取付作業は一方向から行える。
【図面の簡単な説明】
【００１７】
【図１】本発明の１実施形態に係るクリップの斜視図である。
【図２】図１のクリップの平面図である。
【図３】図１のクリップの正面図である。
【図４】図１のクリップの底面図である。
【図５】図３のクリップの右側面図である。
【図６】図１のクリップを雌ねじ形成部材に装着した様子を示す縦断面図である。
【符号の説明】
【００１８】
１  クリップ
２  頭部
３  軸部
５  軸部の先端
６  空洞
７Ａ  一方の対の係止爪
７Ｂ  他方の対の係止爪
９Ａ：９Ｂ  軸部の外側面
１０  工具係止溝
１１  突起
１３  雌ねじが形成された部材
１４  雌ねじ穴
１５  雌ねじ
【図１】
2009156303.tif 000003
【図２】
2009156303.tif 000004
【図３】
2009156303.tif 000005
【図４】
2009156303.tif 000006
【図５】
2009156303.tif 000007
【図６】
2009156303.tif 000008